(57)【要約】  移動端末との無線通信が可能な範囲を規定したセルを有し、該セルが、他の基地局の他のセルと隣接して配置される基地局であって、他の基地局と相互通信を行う通信部７０と、セル内で通信中の移動端末に対して報知情報を一斉報知する報知情報処理部４０と、を有する。報知情報処理部４０は、通信中の移動端末から、該移動端末がセルの他のセルに隣接する隣接エリアに位置することを示す情報を受信すると、通信部７０を介して他の基地局から、他のセル内で現在報知されている他の報知情報を取得し、該取得した他の報知情報を通信中の移動端末に送信する。
2011096332.tif 000002
【特許請求の範囲】
【請求項１】
移動端末との無線通信が可能な範囲を規定したセルを有し、該セルが、他の基地局の他のセルと隣接して配置される基地局であって、
前記他の基地局と相互通信を行う通信部と、
前記セル内で通信中の移動端末に対して報知情報を一斉報知する報知情報処理部と、を有し、
前記報知情報処理部は、前記通信中の移動端末から、該移動端末が前記セルの前記他のセルに隣接する隣接エリアに位置することを示す情報を受信すると、前記通信部を介して前記他の基地局から、前記他のセル内で現在報知されている他の報知情報を取得し、該取得した他の報知情報を前記通信中の移動端末に送信する、基地局。
【請求項２】
前記報知情報処理部は、
報知情報およびその識別情報を含む一斉報知情報を生成し、該一斉報知情報を前記通信中の移動端末に対して一斉報知する報知情報生成部と、
前記通信中の移動端末から、前記他の基地局からの信号の受信レベルを測定した第１の受信レベル測定結果と前記他の基地局を識別するための識別情報とを含む通信品質情報を受信し、該通信品質情報の前記第１の受信レベル測定結果が閾値以上であるか否かを判定する判定部と、
前記判定部によって前記第１の受信レベル測定結果が前記閾値以上であると判定された場合に、前記セル内で現在報知されている報知情報を識別するための識別情報を含む報知情報取得要求を、前記通信部を介して前記他の基地局へ送信し、該報知情報取得要求の応答情報を前記他の基地局から前記通信部を介して取得する報知情報取得部と、を有し、
前記報知情報生成部は、前記報知情報取得部にて取得した応答情報が前記他のセル内で報知されている前記他の報知情報およびその識別情報を含む場合に、該他の報知情報および識別情報を前記一斉報知情報に加える、請求の範囲第１項に記載の基地局。
【請求項３】
前記報知情報処理部は、前記他のセル内で報知されている前記他の報知情報の識別情報を含む自局宛ての報知情報取得要求を前記他の基地局から前記通信部を介して受信する応答処理部を、さらに有し、
前記応答処理部は、前記自局宛ての報知情報取得要求に含まれている前記他の報知情報の識別情報が、前記セル内で現在報知されている報知情報の識別情報と一致するか否かを判定し、一致しない場合は、前記セル内で現在報知されている報知情報およびその識別情報を含む他の応答情報を、前記通信部を介して前記他の基地局に送信し、一致する場合には、前記自局宛ての報知情報取得要求に含まれている前記他の報知情報の識別情報を含む他の応答情報を、前記通信部を介して前記他の基地局に送信する、請求の範囲第２項に記載の基地局。
【請求項４】
前記報知情報処理部は、前記通信中の移動端末に対して一斉報知された報知情報およびその識別情報が格納される記憶部を、さらに有し、
前記報知情報生成部は、前記報知情報取得部にて取得した応答情報に含まれている前記他の報知情報の識別情報が前記記憶部に格納されているか否かを判定し、格納されていない場合は、該応答情報に含まれている前記他の報知情報および識別情報を前記一斉報知情報に加え、格納されている場合には、該応答情報に含まれている前記他の報知情報の識別情報のみを前記一斉報知情報に加える、請求の範囲第２項または第３項に記載の基地局。
【請求項５】
前記通信中の移動端末から、前記第１の受信レベル測定結果と自局からの信号の受信レベルを測定した第２の受信レベル測定結果とをそれぞれ取得し、前記第１の受信レベル測定結果が前記閾値以上であり、かつ、前記第１の受信レベル測定結果が前記第２の受信レベル測定結果より高い場合に、前記通信中の移動端末について、前記他の基地局へのハンドオーバの処理を実施するハンドオーバ処理部を、さらに有する、請求の範囲第２項から第４項のいずれかに記載の基地局。
【請求項６】
前記報知情報処理部は、前記通信中の移動端末から、該移動端末の現在位置に関する位置情報を取得し、該取得した位置情報と予め保持している自局の位置情報とに基づいて、前記通信中の移動端末が前記隣接エリアに位置するか否かを判定する、請求の範囲第１項に記載の基地局。
【請求項７】
移動端末と、該移動端末の無線通信が可能な範囲を規定したセルを有する複数の基地局とを有し、各基地局のセルが隣接して配置される移動通信システムであって、
前記各基地局のそれぞれは、
自局に隣接して配置された他の基地局と相互通信を行う通信部と、
自局のセル内で通信中の移動端末に対して報知情報を一斉報知する報知情報処理部と、を有し、
前記報知情報処理部は、前記通信中の移動端末から、該移動端末が前記自局のセルの前記他の基地局の他のセルに隣接する隣接エリアに位置することを示す情報を受信すると、前記通信部を介して前記他の基地局から、前記他のセル内で現在報知されている他の報知情報を取得し、該取得した他の報知情報を前記通信中の移動端末に送信する、移動通信システム。
【請求項８】
移動端末との無線通信が可能な範囲を規定したセルを有し、該セルが、他の基地局の他のセルと隣接して配置される基地局にて行われる報知情報送信方法であって、
前記セル内で通信中の移動端末に自局用の報知情報を送信し、
前記通信中の移動端末から、該移動端末が前記セルの前記他のセルに隣接する隣接エリアに位置するか否かを判定可能な信号を受信し、
前記受信信号に基づいて、前記通信中の移動端末が前記隣接エリアに位置すると判定した場合に、前記他の基地局から、前記他のセル内で現在報知されている他の報知情報を取得し、該取得した他の報知情報を前記自局用の報知情報とともに前記通信中の移動端末に送信する、情報通信制御方法。
【発明の詳細な説明】
【技術分野】
【０００１】
本発明は、情報を移動端末に一斉報知する情報通信システムに関し、特に、無線アクセス仕様であるＬＴＥ(Long Term Evolution)で提供されるシステムの１つである、緊急情報、例えばＥＴＷＳ（Earthquake and Tsunami Warning System）情報を移動端末に一斉報知する移動通信システムに関する。
【背景技術】
【０００２】
3rd Generationからの次世代システムとして検討されているＬＴＥシステムでは、基地局は、自局が管理しているセル内において、最新のＥＴＷＳ情報を一斉報知する。セル内に在圏している移動端末は、基地局からの一斉呼び出し（ページング）を契機に、緊急報知されている最新のＥＴＷＳ情報を取得できる（非特許文献１−４参照）。【０００３】
通常、ネットワーク側では、移動端末の現在位置に対応するセルとして１つのセルを特定するようになっており、移動端末は、その特定したセルを管理している基地局からの一斉呼び出し（ページング）に応じることでＥＴＷＳ情報を取得することができる。
【先行技術文献】
【非特許文献】
【０００４】
【非特許文献１】LTE/3GPP TS36.300 v8.9.0 2009-06, Technical Specification Group Radio Access Network; Evolved Universal Terrestrial Radio Access (E-UTRA) and Evolved Universal Terrestrial Radio Access Network(E-UTRAN); Overall description; Stage 2(Release 8)
【非特許文献２】LTE/3GPP TS36.331 v8.6.0 2009-06, Technical Specification Group Radio Access Network; Evolved Universal Terrestrial Radio Access (E-UTRA); Radio Resource Control (RRC); Protocol specification (Release 8)
【非特許文献３】LTE/3GPP TS36.423 v8.6.0 2009-06, Technical Specification Group Radio Access Network; Evolved Universal Terrestrial Radio Access (E-UTRA); X2 application protocol (X2AP) (Release 8)
【非特許文献４】LTE/3GPP TS36.413 v8.6.1 2009-06, Technical Specification Group Radio Access Network; Evolved Universal Terrestrial Radio Access (E-UTRA); S1 application protocol (S1AP) (Release 8)
【発明の概要】
【０００５】
隣接するセル間で異なるＥＴＷＳ情報が報知されている場合で、移動端末がセル内の他のセルと隣接する領域に位置する場合は、移動端末は、自端末が位置するセルおよび隣接セルのそれぞれで報知されているＥＴＷＳ情報を取得することが望ましい。
【０００６】
しかしながら、前述のＬＴＥシステムでは、移動端末の現在位置に対応するセルとして１つのセルを特定するようになっており、移動端末は、その特定したセルを管理している基地局からのみ一斉呼び出し（ページング）を受ける。このため、移動端末がセル内の他のセルと隣接する領域に位置する場合において、移動端末は、ネットワーク側で特定した１つのセル内で報知されているＥＴＷＳ情報しか取得できず、他のセル内で報知されているＥＴＷＳ情報を取得することはできない。
【０００７】
本発明の目的は、上記の問題を解決し、移動端末がセル内の他のセルと隣接する領域に位置する場合に、移動端末が、自端末が位置するセルおよび隣接セルのそれぞれで報知されている情報（例えばＥＴＷＳ情報）を取得することができる、基地局、移動通信システムおよび報知情報送信方法を提供することにある。
【０００８】
上記目的を達成するため、本発明の基地局は、移動端末との無線通信が可能な範囲を規定したセルを有し、該セルが、他の基地局の他のセルと隣接して配置される基地局であって、前記他の基地局と相互通信を行う通信部と、前記セル内で通信中の移動端末に対して報知情報を一斉報知する報知情報処理部と、を有する。前記報知情報処理部は、前記通信中の移動端末から、該移動端末が前記セルの前記他のセルに隣接する隣接エリアに位置することを示す情報を受信すると、前記通信部を介して前記他の基地局から、前記他のセル内で現在報知されている他の報知情報を取得し、該取得した他の報知情報を前記通信中の移動端末に送信する。
【０００９】
本発明の移動通信システムは、移動端末と、該移動端末の無線通信が可能な範囲を規定したセルを有する複数の基地局とを有し、各基地局のセルが隣接して配置される移動通信システムであって、前記各基地局のそれぞれは、自局に隣接して配置された他の基地局と相互通信を行う通信部と、自局のセル内で通信中の移動端末に対して報知情報を一斉報知する報知情報処理部と、を有する。前記報知情報処理部は、前記通信中の移動端末から、該移動端末が前記自局のセルの前記他の基地局の他のセルに隣接する隣接エリアに位置することを示す情報を受信すると、前記通信部を介して前記他の基地局から、前記他のセル内で現在報知されている他の報知情報を取得し、該取得した他の報知情報を前記通信中の移動端末に送信する。
【００１０】
本発明の報知情報送信方法は、移動端末との無線通信が可能な範囲を規定したセルを有し、該セルが、他の基地局の他のセルと隣接して配置される基地局にて行われる報知情報送信方法であって、前記セル内で通信中の移動端末に自局用の報知情報を送信し、前記通信中の移動端末から、該移動端末が前記セルの前記他のセルに隣接する隣接エリアに位置するか否かを判定可能な信号を受信し、前記受信信号に基づいて、前記通信中の移動端末が前記隣接エリアに位置すると判定した場合に、前記他の基地局から、前記他のセル内で現在報知されている他の報知情報を取得し、該取得した他の報知情報を前記自局用の報知情報とともに前記通信中の移動端末に送信する。
【図面の簡単な説明】
【００１１】
【図１】本発明の一実施形態である移動通信システムの構成を示すブロック図である。
【図２】図１に示す移動通信システムの基地局の構成を示すブロック図である。
【図３】図１に示す移動通信システムの動作を説明するための図である。
【図４】本発明の他の実施形態である移動通信システムの基地局の構成を示すブロック図である。
【符号の説明】
【００１２】
１０、１１  基地局
１０ａ、１１ａ  セル
２０  移動端末
３０  重複エリア
４０  報知情報処理部
４１  隣接セル報知情報取得部
４２  報知情報取得要求応答処理部
４３  報知情報生成部
４４  記憶部
４５  隣接セル判定部
６０  無線通信部
７０  通信部
【発明を実施するための形態】
【００１３】
以下、本発明における一実施形態を、図面を参照して説明する。
【００１４】
図１は、本発明の一実施形態である移動通信システムの構成を示すブロック図である。
【００１５】
図１を参照すると、本実施形態の移動通信システムは、移動端末２０と、移動端末２０との無線通信が可能な範囲を規定したセルを有する基地局１０、１１を有する。移動端末２０の数は１つに限定されず、複数であってもよい。基地局の数も、２つに限定されず、３つ以上であってもよい。基地局１０のセル１０ａは、基地局１１のセル１１ａと隣接している。
【００１６】
基地局１０、１１は、相互に通信が可能である。基地局１０、１１は、例えば専用通信回線により接続されており、基地局１０、１１の間で情報の送受信が可能となっている。基地局１０、１１はいずれも同じ構成のものである。
【００１７】
図２に、基地局１０の構成を示す。図２に示す基地局１０は、報知情報処理部４０、無線通信部６０および通信部７０を有する。
【００１８】
通信部７０は、他の基地局（図１に示した構成では、基地局１１）と相互通信を行う。無線通信部６０は、基地局１０が管理しているセル内に位置する移動端末２０と無線通信を行う。この無線通信を通じて、セル１０ａ内の移動端末２０に対して一斉呼び出し（ページング）を行うことができる。
【００１９】
報知情報処理部４０は、隣接セル報知情報取得部４１、報知情報取得要求応答処理部４２、報知情報生成部４３、記憶部４４および隣接セル判定部４５を有する。
【００２０】
隣接セル判定部４５は、無線通信部６０を通じて、移動端末２０から隣接セルの通信品質を示す情報および隣接セル情報を含む信号を受信する。隣接セルの通信品質は、例えば、移動端末２０が、隣接セルを管理している基地局からの信号（電波）の受信レベル（受信電力）を測定した結果である。隣接セル情報は、隣接セルを識別可能な情報で、例えば、隣接セルを管理している基地局の識別情報である。これらの情報は、例えばＲＲＣ（Radio Resource Control）の「Measurement Report」により取得することができる。
【００２１】
隣接セルの通信品質を示す情報および隣接セル情報を含む信号を移動端末２０から受信すると、隣接セル判定部４５は、通信品質が閾値以上であるか否かを判定する。判定結果は、移動端末２０から取得した隣接セル情報とともに、隣接セル判定部４５から隣接セル報知情報取得部４１へ供給される。ここで、閾値は、例えば図１において、移動端末２０がセル１０ａ、１１ａの重複エリア３０内（または重複エリア３０近傍）に位置することを特定できるような値である。
【００２２】
隣接セル報知情報取得部４１は、通信品質が閾値以上である旨を示す判定結果を隣接セル情報とともに隣接セル判定部４５から受信すると、隣接セル情報に基づいて特定される基地局に対して、通信部７０を通じて報知情報取得要求を送信する。報知情報取得要求は、自局の識別情報、自局のセル内で報知している報知情報の識別情報、および移動端末２０から取得した隣接セル情報を含む。報知情報は、例えばＥＴＷＳ情報である。なお、通信品質が閾値未満である旨を示す判定結果を受信した場合は、隣接セル報知情報取得部４１は、報知情報取得要求の送信を行わない。
【００２３】
また、隣接セル報知情報取得部４１は、報知情報取得要求を受信した基地局から通信部７０を介して報知取得応答を受信すると、その受信した報知取得応答の情報を報知情報生成部４３に供給する。報知情報取得要求時に送信した自局の報知情報の識別情報が、報知取得応答として返される場合と、隣接セル情報と、報知情報取得要求を受信した基地局で報知されている最新の報知情報およびその識別情報とが、報知取得応答として返される場合がある。
【００２４】
報知情報生成部４３は、基地局１０の上位局（上位ノード）から、自局用の報知情報およびその識別情報や、ページングに必要な情報を受信する。上位ノードから報知情報および識別情報を受信した際に、報知情報生成部４３は、その受信した報知情報および識別情報を履歴情報として記憶部４４に格納する。報知情報生成部４３は、上位ノードからの受信情報に基づくページング情報を生成する。
【００２５】
また、報知情報生成部４３は、隣接セル報知情報取得部４１から供給された報知取得応答の情報に、隣接セルの最新の報知情報が含まれている場合は、その隣接セルの最新の報知情報の識別情報が、記憶部４４に格納されている報知情報の履歴の中にないかを確認する。隣接セルの最新の報知情報の識別情報が履歴の中に無い場合は、報知情報生成部４３は、隣接セルの最新の報知情報およびその識別情報を記憶部４４に格納するとともに、隣接セルの最新の報知情報およびその識別情報を、自局内で通信中の移動端末２０へ送信するための隣接セル報知情報の通知処理を実施する。通知処理としては、例えば、自局内で通信中の移動端末に対する呼に限定して隣接セルの報知情報および識別情報を通知する手法や、重複しているエリアに位置する全ての移動端末に対する呼について隣接セルの報知情報および識別情報を通知する手法がある。
【００２６】
報知情報生成部４３で生成されたページング情報は、無線通信部６０を介して、自局のセル内に位置する移動端末２０へ送信される。記憶部４４には、報知情報および識別情報の履歴情報が格納されるようになっており、その履歴情報から、自局のセル内で現在報知されている最新の報知情報を知ることができる。
【００２７】
情報取得要求応答処理部４２は、他の基地局（図１の構成では基地局１１）からの報知情報取得要求を、通信部７０を介して受信する。報知情報取得要求の受信の際には、情報取得要求応答処理部４２は、報知情報取得要求に含まれている隣接セル情報が自局を示す情報であるかを確認する。隣接セル情報が自局を示す情報である場合にのみ、情報取得要求応答処理部４２は、報知情報取得要求に対する応答処理を実行する。
【００２８】
自局宛ての報知情報取得要求を受信すると、情報取得要求応答処理部４２は、自局のセル内で現在報知している報知情報の識別情報を記憶部４４から取得し、その取得した識別情報と、受信した報知情報取得要求に含まれている、要求元の基地局のセル内で現在報知している報知情報の識別情報とを比較する。
【００２９】
自局の最新の報知情報の識別情報が要求元の報知情報の識別情報と一致しない場合は、情報取得要求応答処理部４２は、自局の最新の報知情報およびその識別情報と自局の識別情報とを含む報知取得応答を要求元の基地局へ送信する。自局の最新の報知情報の識別情報が要求元の報知情報の識別情報と一致した場合は、情報取得要求応答処理部４２は、報知情報取得要求に含まれていた報知情報の識別情報を含む報知取得応答を要求元の基地局へ送信する。報知取得応答の送信に際して、情報取得要求応答処理部４２は、報知情報取得要求に含まれていた要求元の基地局の識別情報から要求元を特定する。
【００３０】
基地局１１や他の基地局も、図２に示した構成と同じ構成を有する。
【００３１】
次に、本実施形態の移動通信システムの動作を説明する。
【００３２】
図３は、図１に示した構成において、セル１０ａ内に位置する移動端末２０が重複エリア３０の近傍に移動した際に、基地局１０が、セル１０ａに隣接するセル１１ａを管理している基地局１１から最新の報知情報を取得し、その取得した報知情報を移動端末２０に供給する場合の動作を説明するための模式図である。
【００３３】
まず、移動端末２０は、隣接セル１１ａの通信品質（受信レベル）および隣接セル情報を基地局１０に送信する（ステップＳ１０）。
【００３４】
次に、基地局１０の隣接セル判定部４５が、移動端末２０からの隣接セル１１ａの通信品質が閾値以上であるか否かを判定する（ステップＳ１１）。隣接セル１１ａの通信品質が閾値以上である場合は、基地局１０の隣接セル報知情報取得部４１が、報知情報取得要求（隣接セル情報、基地局１０の識別情報、セル１０ａ内で現在報知されている報知情報の識別情報）を基地局１１へ送信する（ステップＳ１２）。
【００３５】
報知情報取得要求が基地局１０から基地局１１へ送信されると、基地局１１の報知情報要求応答処理部４２が、その報知情報取得要求に含まれている、セル１０ａ内で現在報知されている報知情報の識別情報と、自局のセル１１ａ内で現在報知されている報知情報の識別情報とを比較する（ステップＳ１３）。
【００３６】
ステップＳ１３において、識別情報が一致した場合は、基地局１１の報知情報要求応答処理部４２が、報知情報取得要求に含まれていた報知情報の識別情報を含む報知取得応答を基地局１０へ送信する（ステップＳ１４）。
【００３７】
ステップＳ１３において、識別情報が一致しない場合は、基地局１１の報知情報要求応答処理部４２が、セル１１ａ内で現在報知されている報知情報およびその識別情報と自局の識別情報（隣接セル情報）とを含む報知取得応答を基地局１０へ送信する（ステップＳ１５）。
【００３８】
基地局１０では、隣接セル報知情報取得部４１が、基地局１１から送信された報知取得応答を、通信部７０を介して受信し、受信した報知取得応答に、隣接セル情報および隣接セル１１ａの最新の報知情報およびその識別情報が含まれているか否かを確認する。報知取得応答が隣接セル情報および隣接セル１１ａの最新の報知情報およびその識別情報を含む場合にのみ、隣接セル報知情報取得部４１が、報知取得応答を報知情報生成部４３に供給する（ステップＳ１６）。
【００３９】
さらに、基地局１０では、報知情報生成部４３が、隣接セル報知情報取得部４１から供給された報知取得応答に含まれている隣接セル１１ａの最新の報知情報の識別情報が、記憶部４４に格納されている報知情報の履歴の中にないかを確認する（ステップＳ１７）。
【００４０】
ステップＳ１７において、隣接セル１１ａの最新の報知情報の識別情報が履歴の中に無い場合は、基地局１０では、報知情報生成部４３が、隣接セル１１ａの最新の報知情報およびその識別情報を記憶部４４に格納するとともに、その隣接セル１１ａの最新の報知情報および識別情報を現在報知されている報知情報に加える。そして、報知情報生成部４３が、その報知情報（自局内で現在報知されている報知情報および識別情報と隣接セルで報知されている最新の報知情報および識別情報を含む一斉報知情報）を、無線通信部６０を通じて移動端末２０へ送信する（ステップＳ１８）。
【００４１】
なお、ステップＳ１７において、隣接セル１１ａの最新の報知情報の識別情報が履歴の中にあった場合は、報知情報生成部４３は、隣接セル１１ａの最新の報知情報の識別情報のみを現在報知されている報知情報に加える。そして、報知情報生成部４３が、その報知情報（自局内で現在報知されている報知情報および識別情報と隣接セルで報知されている最新の報知情報の識別情報を含む一斉報知情報）を、無線通信部６０を通じて移動端末２０へ送信する。
【００４２】
以上の処理によれば、セル１０ａ、１１ａの間で異なる報知情報が報知されている場合で、セル１０ａ内の移動端末２０が、セル１０ａ、１１ａの重複エリア３０近傍に移動した場合に、セル１１ａ内で報知されている報知情報および識別情報が、セル１０ａ内で報知されている報知情報および識別情報とともに移動端末２０に供給される。
【００４３】
なお、移動端末２０が隣接セル１１ａの最新の報知情報の識別情報のみを加えた一斉報知情報を基地局１０から受信した場合は、移動端末２０は、隣接セル１１ａの最新の報知情報を過去に受信していると認識する。移動端末２０は、過去に受信した報知情報を識別情報別に保持しており、該保持した情報を参照して、一斉報知情報に含まれている、隣接セル１１ａの最新の報知情報の識別情報に対応する報知情報を取得する。このように履歴を参照して報知情報を取得することで、無線リソースを効率的に使用することが可能となる。ただし、この場合は、基地局側で、一斉報知した報知情報の履歴を移動端末毎に保持し、移動端末毎に、ステップＳ１７の確認を行う必要がある。
【００４４】
また、セル１０ａ内に移動端末２０の他、複数の他の移動端末が位置する場合は、重複エリア３０近傍に位置する移動端末のみが、隣接セルの報知情報を受信することが望ましい。以下に、重複エリア３０近傍に位置する移動端末のみが隣接セルの報知情報を受信する方法を簡単に説明する。
【００４５】
ステップＳ１０において、移動端末が、隣接セル情報および隣接セルの通信品質を基地局へ送信する際に、自端末の識別情報を送信する。基地局では、隣接セル判定部４５が、隣接セルの通信品質が閾値以上である移動端末の識別情報を隣接セル報知情報取得部４３に供給する。
【００４６】
ステップＳ１６において、隣接セル報知情報取得部４３は、隣接セルの最新の報知情報を含む報知取得応答を受信すると、その報知取得応答の情報を、隣接セル判定部４５から供給された移動端末の識別情報と一緒に、報知情報生成部４３に供給する。ステップＳ１８において、報知情報生成部４３は、自局のセル内で報知されている報知情報に、隣接セルの最新の報知情報および重複エリア近傍に位置する移動端末の識別情報を加えた一斉報知情報を生成する。この一斉報知情報が、無線通信部６０を介して自局のセル内の各移動端末に一斉報知される。
【００４７】
各移動端末は、一斉報知された報知情報を受信すると、その一斉報知情報に含まれている移動端末の識別情報が自端末の識別情報と一致するか否かを判定する。識別情報が一致した場合にのみ、移動端末は、受信した一斉報知情報に対する特定の処理を実施する。特定の処理は、例えば、一斉報知情報を表示する処理である。
【００４８】
（他の実施形態）
図４は、本発明の他の実施形態である移動通信システムの基地局の構成を示すブロック図である。
【００４９】
本実施形態の移動通信システムも、図１に示した構成と同様のものである。本実施形態の移動通信システムを構成する複数の基地局はいずれも、図４に示す構成を有する。
【００５０】
図４に示す基地局は、ハンドオーバ処理部５０を有しており、この点が図２に示した基地局と異なる。これ以外の構成は、図２に示したものと同じである。
【００５１】
隣接セル判定部４５による判定結果は、隣接セル報知情報取得部４１およびハンドオーバ処理部５０に供給される。
【００５２】
移動端末２０は、自端末が位置するセル内において、該セルの通信品質を示す情報およびセル情報を含む信号、および隣接セルの通信品質を示す情報および隣接セル情報を含む信号をそれぞれ、当該セルを管理している基地局へ送信する。
【００５３】
例えば、移動端末２０が基地局１０のセル１０ａ内に位置する場合、隣接セルの通信品質は、前述したように、基地局１１からの信号（電波）の受信レベル（受信電力）を測定した結果である。隣接セル情報は、基地局１１の識別情報である。また、移動端末２０が位置するセルの通信品質は、基地局１０からの信号（電波）の受信レベル（受信電力）を測定した結果である。セル情報は、基地局１０の識別情報である。これらの情報も、前述したＲＲＣ（Radio Resource Control）の「Measurement Report」により取得することができる。
【００５４】
ハンドオーバ処理部５０は、無線通信部６０を通じて、自局セル内の移動端末２０から、自局セルの通信品質を示す情報およびセル情報と、隣接セルの通信品質を示す情報および隣接セル情報を含む信号をそれぞれ受信する。ハンドオーバ処理部５０は、隣接セル判定部４５にて隣接セルの通信品質が閾値以上であると判定され、かつ、隣接セルの通信品質が自局セルの通信品質より高い場合に、隣接セルを管理する基地局へのハンドオーバの処理を実施する。ハンドオーバの処理は、良く知られている技術であるので、ここでの詳細な説明は省略する。
【００５５】
本実施形態の移動通信システムによれば、例えば移動端末２０が基地局１０のセル１０ａ内のセル１１ａと隣接するエリアに位置し、隣接セル１１ａの通信品質が閾値以上である場合は、基地局１０の報知情報処理部４０が、セル１０ａ内で報知されている報知情報およびその識別情報とセル１１ａ内で報知されている報知情報およびその識別情報とを含む一斉報知情報を生成する。そして、一斉報知情報が無線通信部６０から移動端末２０へ送信される。
【００５６】
また、隣接セル１１ａの通信品質が閾値以上であり、かつ、隣接セル１１ａの通信品質がセル１０ａの通信品質より高い場合は、基地局１０のハンドオーバ処理部５０が、移動端末２０について、基地局１１へのハンドオーバの処理を実施する。
【００５７】
このように、移動端末２０は、基地局１１へのハンドオーバの処理が実行される前に、移動先であるセル１１ａ内で報知されている報知情報およびその識別情報を取得することができる。
【００５８】
本実施形態の移動通信システムは、既存の移動通信システムに容易に適用することができる。例えば、基地局１０が、ＲＲＣの「Measurement Report」の受信を契機に隣接セルへのハンドオーバの実行を決定するような構成において、報知情報取得要求を「X2-AP:HANDOVER REQUEST」とし、情報取得応答を「X2-AP:HANDOVER REQUEST ACKNOWLEDGE」とし、隣接セルの報知情報通知をＲＲＣの「Connection Reconfiguration」とすることで、既に標準化されているプロトコルのノード間メッセージに相乗りさせることができる。これにより、ハンドオーバ先のセル(隣接セル)で報知されているETWS情報をハンドオーバ手順中に取得することが可能となり、移動端末へのETWS情報の到達時間を早めることが可能となる。
【００５９】
上述した各実施形態の移動通信システムでは、基地局は、隣接セルの通信品質に対する閾値判定を行うことにより、隣接セルで緊急報知されている最新のETWS情報を隣接セルから取得するかどうかを判定しているが、本発明はこれに限定されるものではない。例えば、移動端末がＧＰＳ（Global Positioning System）等を利用して自端末の現在位置を示す位置情報を基地局へ送信し、基地局が、その位置情報と予め保持している自局の位置情報とに基づいて、移動端末が隣接エリアに位置するか否かを判定してもよい。この場合は、移動端末が隣接エリアに位置する場合に、隣接セルで緊急報知されている最新のETWS情報が移動端末に供給される。
【００６０】
上記の位置情報に基づく判定によれば、一斉報知情報の送信要否判定の確度を上げることが可能であり、その結果、無線リソースを効率的に使用することができる。
【００６１】
また、１つの基地局で管理しているセルの数は複数であってもよい。この場合は、図３の手順において、通信品質の判定はセル毎に行われる。報知情報取得要求は、セルの識別情報を含む。報知情報の履歴もセルの識別情報を含む。
【００６２】
以上説明した本発明によれば、移動端末は、自端末が位置するセルおよび隣接セルのそれぞれで報知されている報知情報（例えばＥＴＷＳ情報）を取得することができるので、移動端末を所持するユーザに対して、より多くの有益な報知情報を提供することができる。
【００６３】
以上、実施形態を参照して本発明を説明したが、本発明は上述した各実施形態に限定されるものではない。本発明の構成および動作については、本発明の趣旨を逸脱しない範囲において、当業者が理解し得る様々な変更を行うことができる。
【００６４】
この出願は、２０１０年２月３日に出願された日本出願特願２０１０−０２２０７３を基礎とする優先権を主張し、その開示の全てをここに取り込む。
【図１】
2011096332.tif 000003
【図２】
2011096332.tif 000004
【図３】
2011096332.tif 000005
【図４】
2011096332.tif 000006
【手続補正書】
【提出日】平成24年8月2日(2012.8.2)
【手続補正１】
【補正対象書類名】明細書
【補正対象項目名】００４５
【補正方法】変更
【補正の内容】
【００４５】
ステップＳ１０において、移動端末が、隣接セル情報および隣接セルの通信品質を基地局へ送信する際に、自端末の識別情報を送信する。基地局では、隣接セル判定部４５が、隣接セルの通信品質が閾値以上である移動端末の識別情報を隣接セル報知情報取得部４１に供給する。
【手続補正２】
【補正対象書類名】明細書
【補正対象項目名】００４６
【補正方法】変更
【補正の内容】
【００４６】
ステップＳ１６において、隣接セル報知情報取得部４１は、隣接セルの最新の報知情報を含む報知取得応答を受信すると、その報知取得応答の情報を、隣接セル判定部４５から供給された移動端末の識別情報と一緒に、報知情報生成部４３に供給する。ステップＳ１８において、報知情報生成部４３は、自局のセル内で報知されている報知情報に、隣接セルの最新の報知情報および重複エリア近傍に位置する移動端末の識別情報を加えた一斉報知情報を生成する。この一斉報知情報が、無線通信部６０を介して自局のセル内の各移動端末に一斉報知される。
【国際調査報告】
2011096332.tif 000007
2011096332.tif 000008